(57)【特許請求の範囲】
【請求項１】
軸筒と、
前記軸筒に設けられる回動支持面と、
前記軸筒の前端部に位置する口金と、筆記芯を繰り出す繰り出し機構を含むと共に前記軸筒内に設けられるノックユニットと、前記口金と前記ノックユニットとを連結するチャックホルダと、により構成される筆記構造体と、
前記筆記構造体に設けられ、前記回動支持面と回動自在に摺接する関節部と、
前記関節部よりも後方に位置し、前記関節部を含む前記筆記構造体を前方に付勢する圧縮コイルバネと、
を有し、
前記圧縮コイルバネにより、前記関節部が前記回動支持面に押し当てられていることを特徴とするシャープペンシル。
【請求項２】
前記筆記構造体と前記軸筒との間には弾性体が設けられていることを特徴とする請求項１記載のシャープペンシル。
【請求項３】
前記関節部は、前記チャックホルダに設けられたことを特徴とする請求項１又は２記載のシャープペンシル。
【請求項４】
前記関節部は、前記口金に設けられたことを特徴とする請求項１又は２記載のシャープペンシル。
【発明の詳細な説明】
【技術分野】
【０００１】
本発明は、ノックによって筆記芯を軸線方向に所定量だけ繰り出し可能なシャープペンシルに関するものである。
【背景技術】
【０００２】
従来、このような分野の技術として、実開昭６１−１１８７８４号公報がある。この公報に記載されたシャープペンシルは、ノック式であり、軸筒内には、筆記芯を軸線方向に所定量だけ繰り出し可能なノックユニットが収容されている。このノックユニットは、後端に尾栓キャップが装着されて、筆記芯の収容を可能にする芯パイプと、芯パイプの前端に固定されて筆記芯の挟持を可能にするチャック部と、チャック部を収容するチャックホルダと、チャックホルダの先端の開閉を可能にするチャック締付けカップと、芯パイプを後方に向けて付勢する圧縮コイルバネと、を備えている。
【０００３】
このようなノック式シャープペンシルでは、尾栓を指で押すようにノックすると、ノックの途中で、チャック締付けカップが強制的に停止させられ、これによってチャック部が開いて、筆記芯はチャック部の挟持から解放される。このような動作により、所定長の筆記芯が口金の先端から繰り出される。その後、尾栓から指を離すと、圧縮コイルバネによって芯パイプが後退し、これに伴ってチャック部は開いた状態を維持しながら後退し、チャック部の先端がチャック締付けカップ内に入り込むことで、チャック部が閉鎖され、チャック部によって筆記芯が挟持されて待機状態になる。このような一連のノック動作により、筆記芯をシャープペンシルの先端から所定量だけ繰り出され、ノック回数に応じて、筆記芯の繰り出し量を増やすことができる。
【先行技術文献】
【特許文献】
【０００４】
【特許文献１】実開昭６１−１１８７８４号公報
【発明の概要】
【発明が解決しようとする課題】
【０００５】
しかしながら、前述した従来のシャープペンシルでは、筆記時に過剰な筆圧が筆記芯に加わると、筆記芯のうち口金から露出した部分が折れ易いといった問題点がある。従って、利用者は、筆記芯の折れ防止として、硬度の高い筆記芯の利用を余儀なくされていた。
【０００６】
本発明は、筆圧を吸収して筆記芯の折れを防止するようにしたシャープペンシルを提供することを目的とする。
【課題を解決するための手段】
【０００７】
本発明は、軸筒と、
軸筒に設けられる回動支持面と、
軸筒の前端部に位置する口金と、筆記芯を繰り出す繰り出し機構を含むと共に軸筒内に設けられるノックユニットと、口金とノックユニットとを連結するチャックホルダと、により構成される筆記構造体と、
筆記構造体に設けられ、回動支持面と回動自在に摺接する関節部と、
関節部よりも後方に位置し、関節部を含む筆記構造体を前方に付勢する圧縮コイルバネと、
を有し、
圧縮コイルバネにより、関節部が回動支持面に押し当てられていることを特徴とする。
【０００８】
このシャープペンシルにおいては、筆記時に過剰な筆圧が筆記芯に加わると、軸筒に設けられる回動支持面と、筆記芯が挿入配置されるノックユニットを具備する筆記構造体に設けられた関節部と、の協働により、口金が筆圧に応じて傾動する。このような傾動によって、口金を貫通するようにノックユニットの芯パイプ内で延在する筆記芯の折れを適切に防止することができる。更に、筆圧を圧縮コイルバネで吸収させながら口金を傾動すなわち首振りさせることができ、筆記芯のうち口金から露出した部分への荷重の集中を圧縮コイルバネにより適切に吸収して、筆記芯の口金から突出する部分を折れ難くしている。そして、筆記中に過剰な筆圧が無くなった場合には、圧縮コイルバネによって口金を元の位置に戻り易くしている。また、過剰な筆圧によって口金が傾動するので、利用者に過剰な筆圧で筆記していることを自覚させ、適正な筆圧で書くような利用を促すことができる。筆圧が高いと筆記芯が折れるという不測の事態を招くことは言うに及ばす、過剰な筆圧で書き続けると利用者に疲労感を増大させ、長時間の筆記が困難になる。よって、本発明に係るシャープペンシルにあっては、適正な筆圧で書くことを利用者に促し、長時間の筆記を可能にするといった効果も併せもっている。そして、圧縮コイルバネを採用することで、筆圧の増減に応じた口金の傾動を行わせ易くし、圧縮コイルバネの弾性力を変更することで、口金が傾動を開始する筆圧を容易に変更することができる。
【０００９】
また、筆記構造体と軸筒との間には弾性体が設けられている。
このような構成を採用すると、圧縮コイルバネの弾性力を弾性体により助成することができる。
【００１０】
また、関節部は、チャックホルダに設けられている。
このような構成は、弾性体を軸筒外に露出させるのに有利である。
【００１１】
また、関節部は、口金に設けられている。
このような構成は、弾性体を露出させることなく、軸筒内に配置させるのに有利である。
【発明の効果】
【００１２】
本発明によれば、筆圧を吸収して筆記芯の折れを防止することができる。
【図面の簡単な説明】
【００１３】
【図１】本発明に係るシャープペンシルの第１の実施形態を示す外観図である。
【図２】図１に対応する断面図である。
【図３】第１実施形態に係るシャープペンシルの使用時の状態を示す外観図である。
【図４】図３に対応する断面図である。
【図５】本発明に係るシャープペンシルの第２の実施形態を示す外観図である。
【図６】図５に対応する断面図である。
【図７】第２実施形態に係るシャープペンシルの使用時の状態を示す外観図である。
【図８】図７に対応する断面図である。
【発明を実施するための形態】
【００１４】
以下、図面を参照しつつ本発明に係るシャープペンシルの好適な実施形態について詳細に説明する。なお、ペン先側を「前方側」として以下説明する。
【００１５】
［第１実施形態］
図１及び図２に示されるように、シャープペンシル１は、筆記芯Ｐを軸筒２の中心軸線Ｌの延在方向に所定量だけ繰り出し可能なノックタイプの筆記具である。このシャープペンシル１は、外殻をなして利用者の握りに供する軸筒２と、軸筒２内に配置されると共に、筆記芯Ｐを収容する芯パイプ１１の前端側に芯繰り出し機構Ａが設けられたノックユニット１０と、軸筒２の前方に配置されて、軸筒２の中心軸線Ｌ上の回動点Ｒを中心に揺動すると共に、ノックユニット１０の芯繰り出し機構Ａに固定された口金４と、で構成されている。
【００１６】
軸筒２は、握りに供する前側軸筒２ａと、前側軸筒２ａの後端に固定されると共に、後端が開放された後側軸筒２ｂとからなっている。ノックユニット１０は、軸筒２内で長手方向に延在する芯パイプ１１と、芯パイプ１１の前端側に設けられた芯繰り出し機構Ａと、芯パイプ１１の後端に圧入された消しゴム受け１２と、消しゴム受け内に装填された消しゴム１３と、消しゴム１３を保護すると共に、消しゴム受け１２が圧入される尾栓１４と、で構成されている。
【００１７】
芯繰り出し機構Ａは、後端が芯パイプ１１の先端開口内に圧入固定されると共に、筆記芯Ｐの挿通を可能にする棒状のベース部１６と、ベース部１６の先端開口内に圧入固定されると共に、先端にスリ割り状のチャック部１７ａを有するリードチャック１７と、チャック部１７ａを保持すると共に、リードチャック１７とベース部１６の前端側が摺動自在に挿入されるチャックホルダ１８と、中心軸線Ｌを中心に巻回されると共に、ノックユニット１０に復帰力を付与するために、チャックホルダ１８とベース部１６のフランジ部１６ａとの間に介挿された圧縮コイルバネ１９と、チャックホルダ１８の前端開口内に挿入されて、チャック部１７ａの開閉を可能にするためにチャック部１７ａに被せられたチャック締付けカップ２０と、で構成されている。
【００１８】
また、円錐形をなす口金４内には、筆記芯Ｐに摩擦力を付与するブレーカー２４が装填され、口金４には、ノック時にチャック締付けカップ２０を前進のみを強制的に止めるための段差部４ａが形成されている。なお、口金４は、金属であっても樹脂であってもよい。
【００１９】
そして、軸筒２の前端部に位置する口金４と、筆記芯Ｐを繰り出す繰り出し機構Ａを含むと共に軸筒２内に設けられるノックユニット１０と、口金４とノックユニット１０とを連結するチャックホルダ１８と、により筆記構造体Ｕが構成されている。
【００２０】
このような構成の筆記構造体Ｕでは、尾栓１４を指でノックすることで、芯パイプ１１と一緒にリードチャック１７のチャック部１７ａをチャックホルダ１８から突出させることができる。この時、チャック締付けカップ２０によってチャック部１７ａが閉鎖された状態で、筆記芯Ｐの挟持状態が維持され、チャック締付けカップ２０と一緒にチャック部１７ａがチャックホルダ１８の前端から突出する。そして、ノックの途中で、チャック締付けカップ２０が口金４の段差部４ａで強制的に停止させられ、これによってチャック部１７ａが開いて、筆記芯Ｐはチャック部１７ａの挟持から解放されると共に、ブレーカー２４により筆記芯Ｐが挟持される。このような動作により、所定長の筆記芯Ｐが口金４の先端から繰り出される。尾栓１４のノック力を解放すると、圧縮コイルバネ１９によって芯パイプ１１は後退し、チャック部１７ａは元の位置に復帰する。
【００２１】
筆記構造体Ｕを構成するにあたって、ノックユニット１０のチャックホルダ１８の前端側は、口金４に対してねじ部２１を介して固定され、これによって、ノックユニット１０と口金４との一体化が図られている。さらに、チャックホルダ１８の後端側には、回動点Ｒを中心とした球面からなる関節部２２が形成され、回動自在なこの関節部２２は、前側軸筒２ａの内壁面に形成された球面状の回動支持面２３により支持されている。このような構成により、口金４は、回動点Ｒを中心とした傾動すなわち首振りを可能にする。また、口金４は、関節部２２によって軸筒２から脱落することがない。
【００２２】
さらに、口金４の後端部と前側軸筒２ａの前端部との間には、リング状の弾性体２６が装填され、口金４の後端部と前側軸筒２ａの前端部とは、弾性体２６に密着させられている。そして、弾性体２６は、エラストマーによって形成され、弾性体２６の後端は、前側軸筒２ａの前側開口内に挿入され、弾性体２６の前端は、口金４の後端面に密着させられている。
【００２３】
さらに、関節部２２の後方において、チャックホルダ１８の後端面１８ａと後側軸筒２ｂの前端との間には、中心軸線Ｌを中心に巻回された圧縮コイルバネ２７が設けられている。この圧縮コイルバネ２７によって、チャックホルダ１８は前方に向かって付勢され、関節部２２を回動支持面２３に押し当てている。更に、圧縮コイルバネ２７の採用により、過剰な筆圧が解除された時に、口金４を元の位置に確実に戻すことができ、しかも、筆圧の増減に応じた口金４の傾動を確実に行わせることができる。
【００２４】
弾性体２６が露出しているシャープペンシル１においては、図３及び図４に示されるように、筆記時に過剰な筆圧が筆記芯Ｐに加わると、口金４は、筆圧に応じて回動点Ｒを中心に中心軸線Ｌから中心軸線Ｓまで傾動し、この口金４に固定されたノックユニット１０も軸筒２内で傾動する。このような傾動によって、口金４を貫通するようにノックユニット１０の芯パイプ１１内で延在する筆記芯Ｐの折れを適切に防止することができる。更に、筆圧を圧縮コイルバネ２７で吸収させながら口金４を傾動すなわち首振りさせることができ、筆記芯Ｐのうち口金４から露出した部分への荷重の集中を圧縮コイルバネ２７により適切に吸収して、筆記芯Ｐを更に折れ難くしている。そして、筆記中に過剰な筆圧が無くなった場合には、圧縮コイルバネ２７によって口金４を元の位置に戻り易くしている。
【００２５】
また、過剰な筆圧によって口金４が傾動するので、利用者に過剰な筆圧で筆記していることを自覚させ、適正な筆圧で書くような利用を促すことができる。筆圧が高いと筆記芯Ｐが折れるという不測の事態を招くことは言うに及ばす、過剰な筆圧で書き続けると利用者に疲労感を増大させ、長時間の筆記が困難になる。よって、シャープペンシル１にあっては、適正な筆圧で書くことを利用者に促し、長時間の筆記を可能にするといった効果も併せもっている。
【００２６】
そして、圧縮コイルバネ２７を採用することで、筆圧の増減に応じた口金４の傾動を行わせ易くし、圧縮コイルバネ２７の弾性力を変更することで、口金４が傾動を開始する筆圧を容易に変更することができる。また、エラストマーからなる弾性体２６は、圧縮コイルバネ２７の弾性力を助成することができる。
【００２７】
［第２実施形態］
次に、図５〜図８に基づいて、本発明に係るシャープペンシル３０の第２実施形態について説明するが、第１の実施形態と同一又は同等な構成については、同一符号を付し、重複する説明を省略する。このシャープペンシル３０では、弾性体３４が外部に露出しない構成になっている。また、ノックユニット１０Ａにおける芯繰り出し機構Ｂの構成は、チャックホルダ１８Ａ以外において、第１の実施形態のシャープペンシル１と同一である。
【００２８】
図６に示されるように、口金４Ａの後端には、回動点Ｒを中心とした球面からなる関節部３２が形成され、回動自在なこの関節部３２は、軸筒２Ａの前側に位置する前側軸筒２Ａａの内壁面に形成された球面状の回動支持面３３により支持されている。このような構成により、口金４Ａが回動点Ｒを中心とした傾動すなわち首振りを可能にする。
【００２９】
さらに、筆記構造体Ｕ１におけるノックユニット１０Ａのチャックホルダ１８Ａの段部１８Ａａと後側軸筒２Ａｂの前端との間には、リング状の弾性体３４が装填され、チャックホルダ１８Ａの後端部と後側軸筒２Ａｂの前端とは、弾性体３４に密着させられている。そして、弾性体３４は、エラストマーによって形成され、弾性体３４の後端は、後側軸筒２Ａｂの前側開口内に挿入され、弾性体３４は、チャックホルダ１８Ａの外周面に密着させられている。
【００３０】
関節部３２の後方において、口金４Ａの後端部と後側軸筒２Ａｂの前端の間には、中心軸線Ｌを中心に巻回された圧縮コイルバネ３７が設けられている。この圧縮コイルバネ３７によって、口金４Ａは前方に向かって付勢され、関節部３２を回動支持面３３に圧着させることで口金４Ａのガタ付きを防止している。更に、圧縮コイルバネ３７の採用により、過剰な筆圧が解除された時に、口金４Ａを元の位置に確実に戻すことができ、しかも、筆圧の増減に応じた口金４Ａの傾動を確実に行わせることができる。
【００３１】
弾性体３４が露出しないシャープペンシル３０においては、図７及び図８に示されるように、筆記時に過剰な筆圧が筆記芯Ｐに加わると、口金４Ａは、筆圧に応じて回動点Ｒを中心に中心軸線Ｌから中心軸線Ｓまで傾動し、このとき、この口金４Ａに固定されたノックユニット１０Ａも軸筒２Ａ内で傾動する。また、このシャープペンシル３０は、第１実施形態に係るシャープペンシル１と同様の作用効果を奏するので、その説明は省略する。
【００３２】
本発明は、前述した実施形態に限定されず、本発明の要旨を逸脱しない範囲で種々の変形が可能である。
【００３３】
筆記構造体Ｕ，Ｕ１と軸筒２，２Ａとの間に配置される弾性体２６，３４の形状や配置場所は、前述した実施形態に限定されない。
【符号の説明】
【００３４】
１，３０…シャープペンシル  ２，２Ａ…軸筒  ４，４Ａ…口金  １０，１０Ａ…ノックユニット  １１…芯パイプ  １７…リードチャック  １７ａ…チャック部  １８，１８Ａ…チャックホルダ  ２２，３２…関節部  ２３，３３…回動支持面  ２６，３４…弾性体  ２７，３７…圧縮コイルバネ  Ａ，Ｂ…芯繰り出し機構  Ｌ…中心軸線  Ｐ…筆記芯  Ｒ…回動点  Ｕ，Ｕ１…筆記構造体
【図１】
0006034062.tif 000002
【図２】
0006034062.tif 000003
【図３】
0006034062.tif 000004
【図４】
0006034062.tif 000005
【図５】
0006034062.tif 000006
【図６】
0006034062.tif 000007
【図７】
0006034062.tif 000008
【図８】
0006034062.tif 000009